(57)【要約】【課題】幅広な笠木を設ける場合であっても、笠木を取り外した状態でパネルを容易に挿入／抜取りできる手摺を提供する。【解決手段】パネルＰが挿入される手摺１は、支柱１０と、支柱１０の上部に取り付けられる上部ブラケット５０と、上部ブラケット５０を覆うように上部ブラケット５０に着脱可能に係合される笠木４０と、を備え、上部ブラケット５０が、支柱１０の上部に取り付けられる取付部５１と、取付部５１に開閉可能に枢着され手摺１に挿入されたパネルＰの上部を呑込むパネル呑込み部５２と、を有する。【選択図】図２
2018105072.tif 000002
【特許請求の範囲】
【請求項１】
パネルが挿入される手摺であって、
支柱と、
前記支柱の上部に取り付けられる上部ブラケットと、
前記上部ブラケットを覆うように前記上部ブラケットに着脱可能に係合される笠木と、を備え、
前記上部ブラケットが、前記支柱の上部に取り付けられる取付部と、前記取付部に開閉可能に枢着され前記手摺に挿入された前記パネルの上部を呑込むパネル呑込み部と、を有することを特徴とする手摺。
【請求項２】
前記笠木が、前記上部ブラケットを覆う天面と、前記天面の第１端側から垂下し前記上部ブラケットに係合する第１側面と、前記天面の第２端側から垂下し前記上部ブラケットに係合する第２側面とを含むことを特徴とする請求項１に記載の手摺。
【請求項３】
前記笠木の前記天面が第１端側から第２端側に向かって下り傾斜になっていることを特徴とする請求項２に記載の手摺。
【請求項４】
前記パネル呑込み部が、前記パネルの上部を呑込む凸部と、前記凸部の第１端側に立設され前記笠木に係合される第１被係合部と、前記凸部の第２端側から延在し前記取付部に枢着されるピボット軸とを含むことを特徴とする請求項１から３のいずれか１項に記載の手摺。
【請求項５】
前記取付部が、前記支柱の上部に取り付けられる取付面と、前記取付面の第１端側に立設され前記パネル呑込み部を枢着するピボット部と、前記取付面の第２端側に立設され前記笠木に係合される第２被係合部とを含むことを特徴とする請求項１から４のいずれか１項に記載の手摺。
【発明の詳細な説明】
【技術分野】
【０００１】
本発明は、手摺、特に、パネルを挿入する手摺に関する。
【背景技術】
【０００２】
従来、ベランダ、階段、廊下等に複数の支柱を設置し、支柱間において支柱から張り出した枠体にパネルを挿入する態様の手摺が知られている。これらの手摺の中には、建物外観や安全性などを考慮し、支柱及びパネルの上部の全体を覆う幅広な笠木を採用するものがあり、このような手摺では、パネルの挿入／抜取りに支障を来さないように、笠木を開閉可能に構成されたものがある（例えば、特許文献１参照）。
【０００３】
例えば、特許文献１には、笠木が長手方向に連続するパネル呑込み溝を有しており、笠木のパネル呑込み溝にパネル上端部を呑込ませるとともに、笠木を支柱の上部ブラケットに固定し、枠体と笠木でパネルの四周により保持し、笠木は、パネル呑込み溝よりも内側の位置で開閉し、上部ブラケットに固定した状態で枠体の上方位置を開放できることを特徴とする手摺が開示されている。
【０００４】
しかしながら、特許文献１の手摺では、笠木を上部ブラケットに固定したうえで開閉可能に構成していることから、特に幅広な笠木の場合、パネルの枠体への挿入／抜取りに際し、開放状態にある笠木が作業の障害になるというという問題があった。
【先行技術文献】
【特許文献】
【０００５】
【特許文献１】特開２０１２−９２６１９号公報
【発明の概要】
【発明が解決しようとする課題】
【０００６】
本発明は、上述の課題に鑑みてなされたものであり、幅広な笠木を設ける場合であっても、笠木を取り外した状態でパネルを容易に挿入／抜取りできる手摺を提供することを目的とする。
【課題を解決するための手段】
【０００７】
本発明は、上記目的を達成するために、以下の構成によって把握される。
（１）本発明の第１の観点は、パネルが挿入される手摺であって、支柱と、前記支柱の上部に取り付けられる上部ブラケットと、前記上部ブラケットを覆うように前記上部ブラケットに着脱可能に係合される笠木と、を備え、前記上部ブラケットが、前記支柱の上部に取り付けられる取付部と、前記取付部に開閉可能に枢着され前記手摺に挿入された前記パネルの上部を呑込むパネル呑込み部と、を有することを特徴とする。
【０００８】
（２）上記（１）の構成において、前記笠木が、前記上部ブラケットを覆う天面と、前記天面の第１端側から垂下し前記上部ブラケットに係合する第１側面と、前記天面の第２端側から垂下し前記上部ブラケットに係合する第２側面とを含む。
【０００９】
（３）上記（２）の構成において、前記笠木の前記天面が第１端側から第２端側に向かって下り傾斜になっている。
【００１０】
（４）上記（１）から（３）のいずれか１つの構成において、前記パネル呑込み部が、前記パネルの上部を呑込む凸部と、前記凸部の第１端側に立設され前記笠木に係合される第１被係合部と、前記凸部の第２端側から延在し前記取付部に枢着されるピボット軸とを含む。
【００１１】
（５）上記（１）から（４）のいずれか１つの構成において、前記取付部が、前記支柱の上部に取り付けられる取付面と、前記取付面の第１端側に立設され前記パネル呑込み部を枢着するピボット部と、前記取付面の第２端側に立設され前記笠木に係合される第２被係合部とを含む。
【発明の効果】
【００１２】
本発明によれば、幅広な笠木を設ける場合であっても、笠木を取り外した状態でパネルを容易に挿入／抜取りできる手摺を提供することができる。
【図面の簡単な説明】
【００１３】
【図１】本発明の実施形態に係る手摺の一例を示す正面図である。
【図２】本発明の実施形態に係る手摺の一例を示す縦断面図である。
【図３】本発明の実施形態に係る手摺の一例を示す横断面図である。
【図４】本発明の実施形態に係る縦断面の一部拡大図であって、（ａ）は支柱に上部ブラケットの取付部を取り付け、パネル呑込み部を開放してパネルを挿入した状態を、（ｂ）はパネルを挿入後にパネル呑込み部を閉鎖した状態を、（ｃ）は笠木を上部ブラケットに係合した状態を、それぞれ示している。
【発明を実施するための形態】
【００１４】
（実施形態）
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１５】
まず、本発明の実施形態に係る手摺１の一例を全体的に説明する。図１は手摺１の主な要素を示しており、手摺１は、図１に示すように、建物躯体Ｓから固定される支柱１０と、支柱１０に設置されたパネル縦枠２０と、隣接する支柱１０の間に架設されたパネル下枠３０と、パネル縦枠２０とパネル下枠３０に挿入されて支持されるパネルＰとを備えている。そして、パネルＰの上部には笠木４０が設けられている。なお、以下では、パネル縦枠２０とパネル下枠３０とを合わせて枠体と称することがある。
【００１６】
ここで、支柱１０、パネル縦枠２０、パネル下枠３０、パネルＰとしては、種々の素材や形状のものを採用することができる。本実施形態においては、これらの点は特定のものに限定されない。
【００１７】
図２及び図３を参照して、手摺１の構成について、さらに詳しく説明する。まず、図２を用いて縦断面視した際の構成について説明する。支柱１０は、例えば後述するように中空押出形材で形成されており、その下端がアンカーボルト１１によって、ベランダの縁石などの建物躯体Ｓの外側端部の上面に強固に支持されている。支柱１０は、建物躯体Ｓの外側端部の上面に沿って一定間隔をもって複数配置される。
【００１８】
支柱１０の外側の見付け面には、支柱１０に沿って延在する側部ブラケット１２がネジ止めされており、支柱１０の下部には外側に突出する水平片を有する下部ブラケット１３が設けられている。側部ブラケット１２にはパネル縦枠２０が取り付けられ、下部ブラケット１３にはパネル下枠３０が載置される。
【００１９】
パネル縦枠２０及びパネル下枠３０は、全体として組み立てた際に上向きコ字状に構成されることとなり、それぞれの枠体に設けられている凹状のパネル呑込み部２１，３１において、三方からパネルＰが支持される（パネル呑込み部２１は図３に、パネル呑込み部３１は図２にそれぞれ図示）。
【００２０】
支柱１０の上部には上部ブラケット５０が取り付けられており、上部ブラケット５０は、取付部５１とパネル呑込み部５２とから構成されている。取付部５１は支柱１０の上部にネジ止めされている。取付部５１の第１端側（図中、左側）には、パネル呑込み部５２が開閉可能（回動可能）に枢着されている。パネルＰが枠体に挿入されたのちに、パネル呑込み部５２を閉鎖することにより、パネルＰの上部がパネル呑込み部５２に呑込まれる。パネル呑込み部５２が閉鎖された後、上部ブラケット５０の全体を覆うように笠木４０が係合される。この支柱１０の上部の構成については、段落をあらためて後述する。
【００２１】
次に、図３を用いて横断面視した際の構成について説明する。図３に示すように、ここでは、中空押出形材で構成された支柱１０を示しており、支柱１０の上面には上部ブラケット５０の取付部５１をネジ止めするための被取付部１４が設けられている。支柱１０の外側の見付け面には前述のとおり側部ブラケット１２がネジ止めされており、側部ブラケット１２は外側に向かって突出し、その先端が内側に屈曲した開口部１２１を有している。開口部１２１には、パネル縦枠２０が係合される。
【００２２】
パネル縦枠２０は、図３に示すように、側部ブラケット１２の開口部１２１に係合する突起部２２と、突起部２２の外側に構成された本体２３と、本体２３から延在するＴ字状の突出部２４を有している。突起部２２は、側部ブラケット１２の開口部１２１に確実に係合できるように矢印形状となっており、突出部２４は、パネルＰを挿入するパネル呑込み部２１を構成する。なお、突出部２４とパネルＰの間にはシール材２５が配置されている。
【００２３】
次に、図４を用いて手摺１の上部における構成について詳しく説明する。図４は、手摺１の上部を拡大して示しており、図４（ａ）は、支柱１０に上部ブラケット５０の取付部５１を取り付け、パネル呑込み部５２を開放したうえでパネルＰを挿入した状態を示している。
【００２４】
ここで、あらためて上部ブラケット５０の構成を詳しく説明する。上部ブラケット５０は、支柱１０の上部に取り付けられる取付部５１と、取付部５１に開閉可能（回動可能）に枢着されたパネル呑込み部５２とから構成される。取付部５１は、支柱１０の上部の被取付部１４に取り付けられる取付面５１１と、取付面５１１の第１端側（図中、左側）に立設されパネル呑込み部５２を枢着するピボット部５１２と、取付面５１１の第２端側（図中、右側）に立設され笠木４０に係合される第２被係合部５１３とを含む。
【００２５】
取付面５１１は、ここでは支柱１０の上部の被取付部１４に対して２か所でネジ止めされた例を示している。ピボット部５１２は、取付面５１１の第１端側に立設された第１側面５１２ａと、その外側にあって上下に略円弧状に突出したピボット軸受５１２ｂを有している。ピボット軸受５１２ｂには、後述するパネル呑込み部５２のピボット軸５２３が枢着される。第２被係合部５１３は、外側に向かって屈曲した第２屈曲部５１３ａを有しており、後述する笠木４０の第２側面４２に設けられている第２突起部４２ａと着脱可能に係合する。
【００２６】
パネル呑込み部５２は、パネルＰの上部を呑込む凸部５２１と、凸部５２１の第１端側（図中、左側）に立設され笠木４０に係合される第１被係合部５２２と、凸部５２１の第２端側（図中、右側）から延在し取付部５１のピボット部５１２のピボット軸受５１２ｂに枢着されるピボット軸５２３とを含む。
【００２７】
凸部５２１は、パネル呑込み部５２を閉鎖した際にパネルＰの上部を呑込むように寸法決めされている。第１被係合部５２２は、外側に向かって屈曲した第１屈曲部５２２ａを有しており、後述する笠木４０の第１側面４３に設けられている第１突起部４３ａと着脱可能に係合する。ピボット軸５２３は、取付部５１のピボット軸受５１２ｂの内部に挿入され開閉可能（回動可能）である内側ピボット軸５２３ａと、ピボット軸受５１２ｂの外部に摺動する外側ピボット軸５２３ｂとを含む。
【００２８】
内側ピボット軸５２３ａは、上下に二股の円弧状に形成されており、パネル呑込み部５２が閉鎖されたとき、上側の円弧の先端に設けられた外側に向いた突起が、ピボット軸受５１２ｂの上側の円弧の先端に設けられた内側に向いた突起に接触することにより、図中反時計方向への回動に対するストッパーの役割を果たしている。外側ピボット軸５２３ｂは、パネル呑込み部５２が開放されたとき、ピボット部５１２の第１側面５１２ａに接触することにより、図中時計方向への回動に対するストッパーの役割を果たしている。
【００２９】
次に、図４（ｂ）はパネルＰを挿入後にパネル呑込み部５２を閉鎖した状態を示している。パネル呑込み部５２を閉鎖すると、パネルＰの上部が凸部５２１に呑込まれ、パネル呑込み部５２と取付部５１は、互いに水平面を構成する。そして、上部ブラケット５０の全体を覆うように笠木４０が被せられる。
【００３０】
ここで、あらためて笠木４０の構成を詳しく説明する。笠木４０は、上部ブラケット５０を覆う天面４１と、天面４１の第１端側（図中、左側）から垂下し上部ブラケット５０に係合可能な第１側面４３と、天面４１の第２端側（図中、右側）から垂下し上部ブラケット５０に係合可能な第２側面４２とを含む。第１側面４３及び第２側面４２は、それぞれ、その内側に第１突起部４３ａ及び第２突起部４２ａを有している。図４（ｃ）に示すように、笠木４０を上部ブラケット５０に被せた際、第１突起部４３ａは上部ブラケット５０の第１屈曲部５２２ａと、第２突起部４２ａは上部ブラケット５０の第２屈曲部５１３ａと、それぞれ係合する。
【００３１】
笠木４０の天面４１は、断面視において、水平や山なり型など種々の態様としてもよいが、図２及び図４に示すように、第１端側（図中、左側）から第２端側（図中、右側）に向かって下り傾斜に構成することが好ましい。このようにすると、手摺１の外側が内側よりも相対的に高くなることから、人の転落や物の落下を防止するなど安全性の観点からは好ましい。
【００３２】
（実施形態の効果）
本実施形態では、パネルＰが挿入される手摺１を、支柱１０と、支柱１０の上部に取り付けられる上部ブラケット５０と、上部ブラケット５０を覆うように上部ブラケット５０に着脱可能に係合される笠木４０と、を備え、上部ブラケット５０が、支柱１０の上部に取り付けられる取付部５１と、取付部５１に開閉可能に枢着され手摺１に挿入されたパネルＰの上部を呑込むパネル呑込み部５２と、を有するように構成したことから、笠木４０が幅広なものであっても、笠木４０を取り外した状態でパネルＰを容易に挿入／抜取りできる手摺１を提供することができる。
【００３３】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３４】
１…手摺
１０…支柱
１１…アンカーボルト
１２…側部ブラケット
１２１…開口部（側部ブラケットの）
１３…下部ブラケット
１４…被取付部
２０…パネル縦枠
２１…パネル呑込み部（パネル縦枠の）
２２…突起部（パネル縦枠の）
２３…本体（パネル縦枠の）
２４…突出部（パネル縦枠の）
３０…パネル下枠
３１…パネル呑込み部（パネル下枠の）
４０…笠木
４１…天面（笠木の）
４２…第２側面（笠木の）
４３…第１側面（笠木の）
５０…上部ブラケット
５１…取付部（上部ブラケットの）
５１１…取付面（取付部の）
５１２…ピボット部（取付部の）
５１３…第２被係合部（取付部の）
５２…パネル呑込み部（上部ブラケットの）
５２１…凸部（パネル呑込み部の）
５２２…第１被係合部（パネル呑込み部の）
５２３…ピボット軸（パネル呑込み部の）
【図１】
2018105072.tif 000003
【図２】
2018105072.tif 000004
【図３】
2018105072.tif 000005
【図４】
2018105072.tif 000006